(57)【要約】【課題】Ｘ線撮影時における切り出し領域の調整のためのユーザの手間を減らす。【解決手段】Ｘ線撮影装置により取得されたＸ線画像を処理する画像処理装置は、保持部に保持されている切り出し情報に基づいて、Ｘ線画像から部分画像を切り出すための切り出し領域を設定し、Ｘ線画像から設定された切り出し領域の画像を切り出す。保持部では、以前に実行された切り出しの切り出し領域を表すように、保持されている切り出し情報が更新される。【選択図】  図１
2015150072.tif 000002
【特許請求の範囲】
【請求項１】
Ｘ線撮影により得られたＸ線画像を処理する画像処理装置であって、
保持手段に保持されている切り出し情報に基づいて、前記Ｘ線画像から部分画像を切り出すための切り出し領域を設定する設定手段と、
前記Ｘ線画像から前記設定手段により設定された切り出し領域の画像を切り出す切り出し手段と、
前記切り出し手段により実行された切り出しの切り出し領域を表すように、前記保持手段に保持されている前記切り出し情報を更新する更新手段と、を備えることを特徴とする画像処理装置。
【請求項２】
前記更新手段は、前記切り出し手段により最後に実行された切り出しの切り出し領域を表すように、前記保持手段に保持されている前記切り出し情報を更新することを特徴とする請求項１に記載の画像処理装置。
【請求項３】
前記設定手段は、複数の運用モードのうちの第１の運用モードが設定されている場合には前記切り出し情報に基づいて切り出し領域を設定し、前記第１の運用モードとは異なる第２の運用モードが設定されている場合には該第２の運用モードに対して予め定められている切り出し領域を設定することを特徴とする請求項１または２に記載の画像処理装置。
【請求項４】
前記第１の運用モードは、複数の被検者の所定の部位をＸ線撮影して得られた複数のＸ線画像から切り出し領域の画像を切り出す検診モードであることを特徴とする請求項３に記載の画像処理装置。
【請求項５】
前記切り出し情報は、前記切り出し手段が該切り出し情報を用いて最後に切り出しを実行した日時の情報を含み、
前記設定手段は、前記切り出し情報に含まれている前記日時の情報が所定の条件を満たす場合に、前記切り出し情報が示す切り出し領域を前記Ｘ線画像に設定することを特徴とする請求項１乃至４のいずれか１項に記載の画像処理装置。
【請求項６】
前記切り出し情報は撮影部位を示す情報を含み、
前記設定手段は、前記Ｘ線画像の撮影部位が前記切り出し情報が示す撮影部位と一致する場合に、前記切り出し情報によって示される切り出し領域を設定することを特徴とする請求項１乃至５のいずれか１項に記載の画像処理装置。
【請求項７】
前記切り出し手段により用いられた切り出し情報を次のＸ線画像に用いないことを示すユーザ指示を受け付ける受け付け手段と、
前記ユーザ指示に応じて前記更新手段よる更新を禁止する禁止手段と、をさらに備えることを特徴とする請求項１乃至６のいずれか１項に記載の画像処理装置。
【請求項８】
前記Ｘ線画像に前記設定された切り出し領域を重ねて表示する表示手段と、
ユーザの操作に応じて、前記表示手段が表示している切り出し領域を変更する変更手段と、をさらに備えることを特徴とする請求項１乃至６のいずれか１項に記載の画像処理装置。
【請求項９】
前記変更手段による切り出し領域の変更量が閾値を超える場合に、前記更新手段による更新を禁止する禁止手段をさらに備えることを特徴とする請求項８に記載の画像処理装置。
【請求項１０】
前記切り出し手段により切り出された画像を、外部装置へ出力する出力手段をさらに備えることを特徴とする請求項１乃至９のいずれか１項に記載の画像処理装置。
【請求項１１】
Ｘ線撮影装置により取得されたＸ線画像を処理する画像処理装置であって、
保持手段に保持されている切り出し情報に基づいて、前記Ｘ線画像から部分画像を切り出すための切り出し領域を設定する設定手段と、
前記Ｘ線画像から前記設定手段により設定された切り出し領域の画像を切り出す切り出し手段と、
前記切り出し手段により最後に実行された切り出しの切り出し領域で前記保持手段に保持されている切り出し情報を更新する更新手段と、を備え、
一人の被検者に対してｎ枚の撮影が行われ運用モードにおいて、前記保持手段にはｎ回前までの切り出しに用いられたｎ個の切り出し領域が保持され、
前記設定手段は、前記保持手段に保持されているｎ回前の切り出しに用いられた切り出し情報を用いて切り出し領域を設定することを特徴とする画像処理装置。
【請求項１２】
Ｘ線撮影により得られたＸ線画像を処理する画像処理システムであって、
保持手段に保持されている切り出し情報に基づいて、前記Ｘ線画像から部分画像を切り出すための切り出し領域を設定する設定手段と、
前記Ｘ線画像から前記設定手段により設定された切り出し領域の画像を切り出す切り出し手段と、
前記切り出し手段によりに実行された切り出しの切り出し領域を表すように、前記保持手段に保持されている前記切り出し情報を更新する更新手段と、を備えることを特徴とする画像処理システム。
【請求項１３】
Ｘ線撮影により得られたＸ線画像を処理する画像処理方法であって、
保持手段に保持されている切り出し情報に基づいて、前記Ｘ線画像から部分画像を切り出すための切り出し領域を設定する設定工程と、
前記Ｘ線画像から、前記設定工程で設定された切り出し領域の画像を切り出す切り出し工程と、
前記切り出し工程で実行された切り出しの切り出し領域を表すように、前記保持手段に保持されている前記切り出し情報を更新する更新工程と、を有することを特徴とする画像処理方法。
【請求項１４】
Ｘ線撮影により得られたＸ線画像を処理する画像処理装置の制御方法であって、
保持手段に保持されている切り出し情報に基づいて、前記Ｘ線画像から部分画像を切り出すための切り出し領域を設定する設定工程と、
前記Ｘ線画像から前記設定工程で設定された切り出し領域の画像を切り出す切り出し工程と、
前記切り出し工程で最後に実行された切り出しの切り出し領域で前記保持手段に保持されている切り出し情報を更新する更新工程と、を有し、
一人の被検者に対してｎ枚の撮影が行われ運用モードにおいて、前記保持手段にはｎ回前までの切り出しに用いられたｎ個の切り出し領域が保持され、
前記設定工程では、前記保持手段に保持されているｎ回前の切り出しに用いられた切り出し情報を用いて切り出し領域を設定することを特徴とする画像処理装置の制御方法。
【請求項１５】
コンピュータに、請求項１３または１４に記載された画像処理方法の各工程を実行させるためのプログラム。
【発明の詳細な説明】
【技術分野】
【０００１】
本発明は、たとえば放射線画像のための画像処理装置およびその制御方法に関する。
【背景技術】
【０００２】
健康診断などにおいてＸ線撮影システムを検診に用いる場合は、多人数の被検者のＸ線画像が撮影され、撮影者は、適切なフイルムサイズに適切な画像を収めるために、撮影されたＸ線画像を見て、該Ｘ線画像から部分領域を切り出す処理を行う。このような切り出し処理に関わる撮影者の負担を軽減するために、撮影前に予め切り出し領域（切り出される画像のサイズ）を設定しておくことが行われている。この場合、Ｘ線撮影システムは、予め決められた切り出し領域を撮影されたＸ線画像に表示し、撮影者が表示された切り出し領域の位置を調整することにより適切な画像が切り出される。
【０００３】
従来より、複数のＸ線画像について、切り出しやトリミングのための撮影者に加わる負担を軽減する技術が提案されている。特許文献１では、過去の撮影時のトリミング処理情報を撮影条件とともに保存しておき、今回の撮影時において今回の撮影条件と一致する過去の撮影条件に関連付けられた画像処理情報を検索し、検索された画像処理の照射範囲を変更する。特許文献１によれば、放射線の照射範囲やトリミング処理の調整を毎回行う必要がなく、撮影技師の負担を軽減することができる。
【先行技術文献】
【特許文献】
【０００４】
【特許文献１】特開２０１１−２２４３３１号公報
【発明の概要】
【発明が解決しようとする課題】
【０００５】
しかしながら、予め決められた切り出し領域に固定してしまうと、ある検診の期間で得られたＸ線画像が微妙にずれていた場合に、その検診の期間のＸ線画像の全てについて微調整が必要になってしまう。また、特許文献１では、過去の撮影と同じ位置で撮影できるため、経過観察の際などにポジショニングを行う手間を軽減することが可能となる。しかしながら、同一被検者の位置の履歴が用いられるため、被検者が異なれば依然として切り出し領域の微調整作業は軽減されない。
【０００６】
本発明は、上記の課題に鑑みてなされたものであり、Ｘ線撮影時における切り出し領域の調整のためのユーザの手間を減らすことを目的とする。
【課題を解決するための手段】
【０００７】
上記の目的を達成するための本発明の一態様による画像処理装置は以下の構成を備える。すなわち、
Ｘ線撮影装置により取得されたＸ線画像を処理する画像処理装置であって、
保持手段に保持されている切り出し情報に基づいて、前記Ｘ線画像から部分画像を切り出すための切り出し領域を設定する設定手段と、
前記Ｘ線画像から前記設定手段により設定された切り出し領域の画像を切り出す切り出し手段と、
前記切り出し手段により最後に実行された切り出しの切り出し領域を表すように、前記保持手段に保持されている前記切り出し情報を更新する更新手段と、を備える。
【発明の効果】
【０００８】
本発明によれば、切り出し領域を調整する手間を減らすことができ、操作性および検査のスループット向上が期待できる。
【図面の簡単な説明】
【０００９】
【図１】第１実施形態によるＸ線画像撮影システムの構成例を示すブロック図。
【図２】第１実施形態による画像処理装置のハードウエア構成例を示すブロック図。
【図３】第１実施形態による画像処理装置の動作を示すフローチャート。
【図４】前検査と現検査における切り出し領域の表示例を示す図。
【図５】第２実施形態による、前検査の切り出し領域の利用を判定する処理を示すフローチャート。
【図６】第３実施形態による、切り出し領域の引き継ぎの判定を示すフローチャート。
【発明を実施するための形態】
【００１０】
以下、本発明の実施形態のいくつかについて添付の図面を参照して説明する。なお、以下の各実施形態では、本発明の画像処理装置および方法をＸ線画像の処理に適用したＸ線撮影システムについて説明するが、本発明の適用は、Ｘ線画像に限られるものではない。たとえば、他の放射線を用いて放射線画像を得る放射線撮影システムや可視光により画像を得るカメラなどにも適用可能である。
【００１１】
＜第１実施形態＞
図１は、第１実施形態に係るＸ線撮影システムの概略構成を示す図である。図１において、Ｘ線撮影装置１００は、放射線（Ｘ線）による放射線画像（以下、Ｘ線画像）を撮影するＸ線撮影装置である。画像処理装置１０１は、放射線（Ｘ線）の照射により被写体を撮影して撮影されたＸ線画像をモニタなのどの表示部１０８に表示する。画像処理装置１０１は、たとえば、一般的なパーソナルコンピュータ（ＰＣ）から構成される。
【００１２】
図２は、画像処理装置１０１のハードウエア構成例を示すブロック図である。ＣＰＵ２０１はＲＯＭ２０２またはＲＡＭ２０３に格納されたプログラムを実行することにより、各種処理を実行し、図１により後述される各機能部を実現する。ＲＯＭ２０２は、読み出し専用メモリであり、ＣＰＵ２０１により実行されるプログラム等が格納される。ＲＡＭ２０３は、ランダムアクセスメモリであり、ＣＰＵ２０１のメインメモリ、作業メモリとして機能する。ＨＤＤ２０４は二次記憶装置を構成し、ＲＡＭ２０３へロードされる各種プログラム等が記憶される。
【００１３】
以上のＣＰＵ２０１、ＲＯＭ２０２、ＲＡＭ２０３、ＨＤＤ２０４は、バス２０６に接続されており、相互に通信可能となっている。インターフェース２０５は、操作部１０９、表示部１０８などをバス２０６に接続する。表示部１０８はたとえば液晶パネルを有し、各種表示を行う。操作部１０９は、キーボード１０９１やマウスなどのポインティングデバイス１０９２を含み、ユーザによる指示を受け付ける。なお、表示部１０８にタッチパネルを設けて、操作部１０９の一部を構成してもよい。また、インターフェース２０５は、Ｘ線撮影装置１００やネットワーク２１０をバス２０６と接続し、画像処理装置１０１とＸ線撮影装置１００との通信や、ネットワーク２１０に接続された他の機器（たとえば外部格納装置２１１）との通信を可能にしている。
【００１４】
図１に戻り、画像取得部１０２は、インターフェース２０５を介してＸ線撮影装置１００からＸ線画像を取得する。画像表示部１０３は、画像取得部１０２により取得されたＸ線画像等を表示部１０８に表示する。検査指示部１０４は、操作部１０９を介してなされた検査の開始および終了の操作指示を受け付ける。領域設定部１０５は運用モード設定部１０６で設定された運用モードに応じて、Ｘ線画像から部分画像を切り出すための切り出し領域を設定する。領域設定部１０５は、必要に応じて保持部１１１に保持されている切り出し情報を参照して、Ｘ線画像上に切り出し領域を設定する。
【００１５】
運用モード設定部１０６は、操作部１０９からのユーザ操作に応じて、画像処理装置１０１の運用モードを設定する。設定可能な運用モードとしては、たとえば、多数の被検者の所定部位（例えば胸部）のＸ線画像を処理する検診モード、特定の被検者のＸ線画像を得る一般撮影モード、回診時のＸ線撮影である回診モード、救急患者のＸ線撮影である救急モードが含まれる。領域制御部１０７は、操作部１０９からのユーザ操作に応じて、領域設定部１０５により設定された切り出し領域の位置や大きさを調整する。また、領域制御部１０７は、保持部１１１における切り出し情報の更新を制御する。画像切り出し部１１０は、表示部１０８に表示されているＸ線画像から、領域設定部１０５により設定された領域を切り出すことにより、Ｘ線画像の部分画像を取得する。
【００１６】
以上のような構成を備えた本実施形態の画像処理装置１０１の動作について、以下、図３、図４を参照して説明する。
【００１７】
操作部１０９を介してユーザが検査の開始を指示すると、まず、ステップＳ３０１〜Ｓ３０３に示される画像表示処理が実行される。画像表示処理では、検査開始のユーザ指示を受け付けた検査指示部１０４が画像取得部１０２にＸ線画像の取得を指示し、この指示に応じて画像取得部１０２がＸ線撮影装置１００からＸ線画像を取得する（ステップＳ３０１）。なお、取得されるＸ線画像は、Ｘ線撮影装置１００による撮影直後のＸ線画像であってもよいし、Ｘ線撮影装置１００が前もって撮影したＸ線画像であってもよい。また、Ｘ線画像の取得元はＸ線撮影装置１００に限られるものではなく、たとえば、ネットワーク２１０上の外部格納装置２１１から取得されてもよい。画像取得部１０２は、取得したＸ線画像を画像表示部１０３へ出力する。画像表示部１０３は、画像取得部１０２より供給されたＸ線画像について階調処理などの画像処理を行い（ステップＳ３０２）、処理されたＸ線画像を表示部１０８に表示する（ステップＳ３０３）。
【００１８】
画像表示処理を終えると、画像処理装置１０１は、ステップＳ３０４〜Ｓ３０８、Ｓ３２１に示される切り出し領域設定処理を行う。切り出し領域設定処理では、前検査の切り出し領域設定を引き継ぐ条件が成立する場合に、前検査の切り出し領域設定を引き継いで現検査の切り出し領域に設定し、現在の検査で表示しているＸ線画像上にその切り出し領域を表示する。
【００１９】
より具体的には、まず、領域設定部１０５が、運用モード設定部１０６において設定されている運用モードを判定する（ステップＳ３０４）。運用モード設定部１０６によって設定されている運用モードが検診モードでなければ、それぞれの運用モードのプロトコルに応じて切り出し領域が設定、表示され、本処理を終了する（ステップＳ３２１）。
【００２０】
他方、ステップＳ３０４において運用モードが検診モードであると判定された場合は、領域設定部１０５は、保持部１１１に保持されている前検査の切り出し領域を示す切り出し情報を取得する（ステップＳ３０５）。切り出し領域の取得に成功した場合、領域設定部１０５は、ステップＳ３０３で表示したＸ線画像に、取得した情報に基づいて得られた切り出し領域を重ねて表示する（ステップＳ３０６、Ｓ３０７）。また、前検査の切り出し情報が存在しないなど、切り出し領域を取得できなかった場合、領域設定部１０５は、検診モードのプロトコルに設定してある切り出し領域が取得され、Ｘ線画像に重ねて表示する（ステップＳ３０６、Ｓ３０８）。
【００２１】
次に、ステップＳ３０９〜Ｓ３１３に示される切り出し領域制御処理が実行される。切り出し領域制御処理では、運用モードが検診モードであった場合に、今回の切り出し領域の設定を次回の切り出し領域の設定に受け継がせるために保持部１１１に保持されている切り出し情報を更新する処理が行われる。この更新処理により、画像切り出し部１１０によって最後に実行された切り出しの切り出し領域を表すように、保持部１１１に保持されている切り出し情報が更新される。
【００２２】
より具体的には、まず、領域制御部１０７が、操作部１０９からのユーザ操作に応じて、ステップＳ３０７またはステップＳ３０８で表示した切り出し領域のサイズや位置を調整する（ステップＳ３０９）。その後、操作部１０９からの切り出しの実行指示に応じて、画像切り出し部１１０が表示中のＸ線画像から設定された切り出し領域の画像を切り出す（ステップＳ３１０）。切り出しが実行されると領域制御部１０７は、今回の切り出しに用いられた切り出し領域を次回の切り出し領域に用いるか否かを判定する（ステップＳ３１１）。たとえば、ステップＳ３０９において切り出し領域を大きく変更した場合など、ユーザは次の検査に切り出し領域設定を引き継がせたくないことがある。このような場合、ユーザは操作部１０９を介して次の検査に切り出し領域設定を反映しない旨を指示することができる。このように、次の検査に採用される切り出し領域は原則として直前に設定された切り出し領域となるが、直前に設定された切り出し領域を引き継がせることが適当でないと判定された場合には、それより以前に設定された切り出し領域が引き継がれる。
【００２３】
ステップＳ３１１において、今回の切り出し領域を次の検査に反映しないと判定された場合は、領域制御部１０７は現検査の切り出し領域の設定情報を消去する（ステップＳ３１２）。これにより、領域制御部１０７による、保持部１１１に保持された切り出し情報の更新が禁止される。他方、今回の切り出し領域を次の検査に反映すると判定された場合は、領域制御部１０７は、現検査の切り出し領域を示すように、保持部１１１に保持されている切り出し情報を更新する（ステップＳ３１３）。なお、前検査と現検査で切り出し領域に変更が無い場合に更新を省略するようにしてもよいこと明らかである。
【００２４】
図４では、前検査画像４００での前検査の切り出し領域４０１が、別の被検者の現検査画像４０２において、現検査の切り出し領域４０３として引き継がれている様子が示されている。図４に示されるように、体格の異なる被検者であっても、Ｘ線検出器の上端に肩当てなどがあり、ほぼ同じような領域が撮影されるため、前回の切り出し領域を単純に引き継ぐことで適切な領域を切り出せる。また、極端に体格の異なる被検者のＸ線画像について切り出し領域を行った場合は、当該切り出し領域を引き継がないように指示することができる。したがって、現検査の前に行った切り出し領域が用いられるため、適切な領域の設定を維持することができる。
【００２５】
＜第２実施形態＞
第１実施形態では、前検査の切り出し領域を用いるか否かを運用モードが検診モードであるか否かに基づいて判断したが（図３のステップＳ３０４）、これに限られるものではない。第２実施形態では、前検査の切り出し領域を用いるか否かの判定において前検査の実施日および検査部位（撮影部位）を参照する。図５は、第２実施形態による切り出し領域設定処理を示すフローチャートである。第２実施形態の切り出し領域設定処理では、第１実施形態（図３）のステップＳ３０４〜Ｓ３０８、Ｓ３２０の処理において、ステップＳ３０４とステップＳ３０５の間にステップＳ５０１、Ｓ５０２が実行される。なお、第２実施形態の保持部１１１に保持されている切り出し情報は、切り出し領域の情報に加えて、その切り出し領域で最後に切り出しが行われた日時を示す情報と、切り出しの対象となるＸ線画像の検査部位（撮影部位）を示す情報を含む。
【００２６】
運用モードが診断モードの場合、領域設定部１０５は、保持部１１１に保持されている切り出し情報が示す日時と、不図示の時計機能から取得された日時とを参照し、前検査の実施日と現検査の実施日を比較する（ステップＳ５０１）。前検査と現検査とで実施日が一致した場合は、さらに、保持部１１１に保持されている切り出し情報が示す検査部位を参照して、前検査と現検査の検査部位を比較する（ステップＳ５０２）。そして、実施日と検査部位がともに一致した場合は、保持部１１１に保持されている切り出し情報（前検査の切り出し領域設定）が取得される（ステップＳ３０５）。また、前検査と現検査の実施日が一致しない、検査部位が一致しない、前検査が存在せず前検査の切り出し領域設定情報が取得できない、のいずれかの場合には、検診モードのプロトコルに設定してある切り出し領域が取得され、表示される（ステップＳ３０８）。
【００２７】
なお、第２実施形態では、運用モードが検診モードか否かを判定すること（Ｓ３０４）に加えて検査の実施日や検査部位の一致を判定することで前検査の切り出し領域を用いるか否かを決定したがこれに限られるものではない。たとえば、運用モードの種別、前検査と現検査の実施日、前検査と現検査の検査部位の少なくとも１つの条件が成立した場合に、前検査の切り出し領域設定を引き継ぐようにしてもよい。さらに、前検査の運用モードと現検査の運用モードの一致に基づいて前検査の切り出し領域を用いるか否かを決定するようにしてもよい。
【００２８】
また、運用モードの判定（ステップＳ３０４）を省略し、実施日や検査部位が一致した場合に前検査の切り出し領域を用いるようにしてもよい。運用モードの判定を省略した場合、任意の検査で収集された画像に対して切り出し操作を行った後、次検査の切り出し領域として前の検査の切り出し領域を用いることができ、運用の形態によっては切り出し領域の調整をする手間をさらに減らすことができる。
【００２９】
＜第３実施形態＞
第１実施形態では、現検査の切り出し領域を次の検査に引き継ぐか否かをユーザ指示に応じて判断したが（ステップＳ３１１）これに限られるものではない。第３実施形態では、第１実施形態の構成に、現検査の切り出し領域を次の検査に引き継ぐか否かを領域制御部１０７により行った切り出し領域の調整量に基づいて判定する構成が追加される。
【００３０】
図６は第３実施形態によるフローチャートである。図６に示されるように、第３実施形態の画像処理装置１０１では、現検査の切り出し領域を次の検査に引き継ぐか否かの判定において、ステップＳ３１１の判定に加えて、ステップＳ６０１の判定が追加されている。ステップＳ６０１において、領域制御部１０７は、ステップＳ３０９で行われた切り出し領域の調整量が予め設定した特定の閾値（移動量、サイズ変更量）を超えているかどうかを範地する。調整量が閾値を超えている場合は、領域制御部１０７は、次の検査に切り出し領域設定を反映しないと自動的に判断し、現検査の切り出し領域設定情報を消去（ステップＳ３１２）する。一方、調整量が閾値を超えていない場合は、領域制御部１０７は、現検査の切り出し領域設定情報を次の検査の切り出し領域として用いるべく、保持部１１１の切り出し情報を更新する。
【００３１】
以上のように、第３実施形態によれば、調整量の大きさに応じてユーザが切り出し領域を引き継ぐべきか否かを判断し、指示するというような手間を省くことができる。
【００３２】
＜他の実施形態＞
上記各実施形態では検査の対象部位や撮影方向が単一である場合を説明したが、同じ部位について複数の撮影方向から得られたＸ線画像を１組として用いる検査がある。たとえば、胸部正面のみではなく、胸部正面と胸部側面の２つを１組として検査に用いるようなことも一般に行われている。このような検査に適応するために、各被検者について常に正面、側面の順に撮影が行われるものとして、領域設定部１０５が直前に実行された切り出しの切り出し領域ではなく、２つ前に実行された切り出しの切り出し領域の設定を引き継ぐようにしてもよい。すなわち、一人の被検者についてｎ枚（ｎ≧２）の撮影が行われる運用モードでは、ｎ枚分だけ過去の切り出し領域（ｎ回前の切り出し領域）を用いるように構成すればよい。そのため、保持部１１１は、少なくとも最新のｎ個の切り出し情報を保持できるようにすることが必要となる。
【００３３】
なお、本発明は、以上の実施形態に限定されるものではなく、本発明の要旨を逸脱しない範囲において、各種の改良や変更を行ってもよい。たとえば、画像処理装置１０１が複数の装置に分かれ、互いに通信可能に接続されることにより、画像処理システムとして実現されてもよい。たとえば、画像処理装置１０１を互いにインターネットを介して通信が可能な第１の装置と第２の装置に分け、第１の装置が切り出し領域を設定するための切り出し情報を第２の装置へ送信し、第２の装置の画像切り出し部１１０が画像の切り出しを実行するようにしてもよい。この場合、Ｘ線画像は第２の装置に保持されてもよく、Ｘ線撮影装置１００が第２の装置に接続されて接続されていてもよい。またこの場合、切り出しの対象となるＸ線画像を第１の装置で表示し、切り出し領域の確認、修正をユーザに行わせるために、Ｘ線画像が第２の装置から第１の装置へ送信されてもよい。さらにその場合、第２の装置から送信されるＸ線画像は縮小画像としてもよい。以上の構成によれば、第１の装置と第２の装置は別々の場所（別々の病院、あるいは国）に設置することも可能である。
【００３４】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015150072.tif 000003
【図２】
2015150072.tif 000004
【図３】
2015150072.tif 000005
【図５】
2015150072.tif 000006
【図６】
2015150072.tif 000007
【図４】
2015150072.tif 000008